(57)【要約】【課題】原稿画像の表示のときに画面の視野角を適宜に設定することが可能な表示装置を提供する。【解決手段】原稿画像のプレビュー表示のときに、特徴画像部分が原稿画像に合成されているか否かを判定し、特徴画像部分が合成されていたならば、スイッチパネル７５の各配向膜７５ａの間の印加電圧を制御して、画面ＳＣの視野角を最も狭くしているので、情報の漏洩を防止することができる。また、特徴画像部分が合成されていなかったならば、スイッチパネル７５の各配向膜７５ａの間の印加電圧を制御して、画面ＳＣの視野角を最も広くしているので、複数の利用者により原稿画像を同時に視認することができる。【選択図】図３
2013113912.tif 000002
【特許請求の範囲】
【請求項１】
スキャナにより読取られた原稿画像、ファクシミリにより受信された原稿画像、又は外部から入力した原稿画像を表示する表示部を備えた表示装置であって、
予め設定された特徴画像部分を記憶した記憶部と、
前記記憶部に記憶されている前記特徴画像部分が前記原稿画像に含まれている場合に、前記原稿画像における前記特徴画像部分を判別する判別部と、
前記表示部の視野角を変更する視野角変更部と、
前記視野角変更部を制御して、前記判別部による判別結果に基づき前記表示部の視野角を設定する制御部とを備えたことを特徴とする表示装置。
【請求項２】
請求項１に記載の表示装置であって、
前記制御部は、前記判別部により判別された前記特徴画像部分に基づき前記表示部の視野角を狭くすることを特徴とする表示装置。
【請求項３】
請求項１に記載の表示装置であって、
前記特徴画像部分は、この特徴画像部分を含む前記原稿画像の重要レベル又は機密レベルを示し、
前記制御部は、前記判別部により判別された前記特徴画像部分に基づき前記原稿画像の重要レベル又は機密レベルを判定し、前記重要レベル又は機密レベルに応じた前記表示部の視野角を設定することを特徴とする表示装置。
【請求項４】
請求項１〜３のいずれか１つに記載の表示装置であって、
前記制御部による前記視野角変更部の制御を有効及び無効のいずれかに切換えるために操作される操作部を備えたことを特徴とする表示装置。
【請求項５】
請求項１〜３のいずれか１つに記載の表示装置であって、
前記表示部の視野角を指示するために操作される操作部を備え、
前記制御部は、前記判別部による判別結果にかかわらず、前記操作部の操作により指示された視野角に前記表示部の視野角を設定することを特徴とする表示装置。
【請求項６】
請求項１〜５のいずれか１つに記載の表示装置を備える画像形成装置。
【請求項７】
請求項６に記載の画像形成装置であって、
前記表示部は、前記画像形成装置で前記原稿画像が記録用紙に記録される前に、前記原稿画像をプレビュー表示することを特徴とする画像形成装置。
【発明の詳細な説明】
【技術分野】
【０００１】
本発明は、原稿画像を表示する表示装置及びそれを備えた画像形成装置に関する。
【背景技術】
【０００２】
この種の画像形成装置では、スキャナにより読取った原稿画像や外部から入力した原稿画像を記録用紙に印刷したり、原稿画像をファクシミリで送信したり、あるいは原稿画像をファクシミリで受信して、受信した原稿画像を記録用紙に印刷したりする。また、画像形成装置としては、原稿画像をプレビュー表示する表示装置を備え、原稿画像の印刷前に、原稿画像の印刷レイアウト等を表示装置の画面上で確認できるようにしたものがある。
【０００３】
ところで、画像形成装置が公共施設等に設置されている場合は、表示装置の画面に表示された原稿画像を、利用者だけではなく、画像形成装置周辺の他の人々によっても無断で見られる可能性があり、原稿画像が社内の機密情報や個人情報を示すものであれば、これらの情報の漏洩の可能性が高くなる。
【０００４】
このため、特許文献１では、表示装置として画面の視野角を変更調節することが可能なものを適用し、画像形成装置の待機時には、表示装置の画面の視野角を広くして、広告等を画面に表示し、広告を広い範囲で視認できるようにし、また画像形成装置の利用時には、表示装置の画面の視野角を狭くして、利用者の原稿画像を画面に表示し、利用者にとっては画面上の原稿画像を見易く、かつ画像形成装置周辺の他の人々にとっては画面上の原稿画像を見難くして、情報の漏洩を防止している。
【先行技術文献】
【特許文献】
【０００５】
【特許文献１】特開２００７−８３４２５号公報
【発明の概要】
【発明が解決しようとする課題】
【０００６】
しかしながら、特許文献１のように画像形成装置の利用時に表示装置の画面の視野角を狭くすると、不便なこともある。例えば、複数の利用者が、表示装置の画面上の原稿画像を見ながら相談して、原稿画像の印刷レイアウト等を設定しようとする場合には、表示装置の画面の視野角を広くすべきであり、視野角が狭いと、各利用者が画面上の同一画像を同時に確認することができず、作業時間が長くなってしまう。
【０００７】
また、画像形成装置の利用時には必用でなくても画面の視野角が狭くなるので、利用者にとっては違和感があり、使勝手が悪くなる。
【０００８】
そこで、本発明は、上記従来の問題点に鑑みなされたものであり、原稿画像の表示のときに画面の視野角を適宜に設定することが可能な表示装置及びそれを備えた画像形成装置を提供することを目的とする。
【課題を解決するための手段】
【０００９】
上記課題を解決するために、本発明の給紙装置は、スキャナにより読取られた原稿画像、ファクシミリにより受信された原稿画像、又は外部から入力した原稿画像を表示する表示部を備えた表示装置であって、予め設定された特徴画像部分を記憶した記憶部と、前記記憶部に記憶されている前記特徴画像部分が前記原稿画像に含まれている場合に、前記原稿画像における前記特徴画像部分を判別する判別部と、前記表示部の視野角を変更する視野角変更部と、前記視野角変更部を制御して、前記判別部による判別結果に基づき前記表示部の視野角を設定する制御部とを備えている。
【００１０】
このような本発明では、原稿画像における特徴画像部分を判別し、この判別結果に基づき表示部の視野角を調節している。例えば、特徴画像部分が含まれている原稿画像については、その表示のときに表示部の視野角が変更される。
【００１１】
また、本発明の表示装置においては、前記制御部は、前記判別部により判別された前記特徴画像部分に基づき前記表示部の視野角を狭くしている。
【００１２】
この場合は、特徴画像部分を原稿画像に含ませておくことにより、原稿画像の表示のときに表示部の視野角を狭くすることができる。
【００１３】
更に、本発明の表示装置においては、前記特徴画像部分は、この特徴画像部分を含む前記原稿画像の重要レベル又は機密レベルを示し、前記制御部は、前記判別部により判別された前記特徴画像部分に基づき前記原稿画像の重要レベル又は機密レベルを判定し、前記重要レベル又は機密レベルに応じた前記表示部の視野角を設定している。
【００１４】
この場合は、原稿画像の重要レベル又は機密レベルに応じて表示部の視野角を設定することができる。例えば、原稿画像の重要レベル又は機密レベルが高くなる程、表示部の視野角を狭くすることができ、表示部に表示された原稿画像を見ることが可能な人数を少なくして、情報の漏洩を起こり難くすることができる。尚、原稿画像の重要レベル又は機密レベルに応じて表示部の視野角を段階的に変更してもあるいは連続的に変更しても構わない。
【００１５】
また、本発明の表示装置においては、前記制御部による前記視野角変更部の制御を有効及び無効のいずれかに切換えるために操作される操作部を備えている。
【００１６】
この場合は、利用者が入力部を操作して表示部の視野角を変更するか否かを決めることができる。
【００１７】
更に、本発明の表示装置においては、前記表示部の視野角を指示するために操作される操作部を備え、前記制御部は、前記判別部による判別結果にかかわらず、前記操作部の操作により指示された視野角に前記表示部の視野角を設定している
これにより、利用者にとって好ましい視野角を設定することが可能になる。
【００１８】
次に、本発明の画像形成装置は、上記本発明の表示装置を備えている。
【００１９】
このような本発明の画像形成装置においても、上記本発明の表示装置と同様の作用効果を奏する。
【００２０】
また、本発明の画像形成装置においては、前記表示部は、前記画像形成装置で前記原稿画像が記録用紙に記録される前に、前記原稿画像をプレビュー表示している。
【００２１】
この場合は、表示部に表示された原稿画像を確認してから、原稿画像を記録用紙に記録することができる。
【発明の効果】
【００２２】
このような本発明では、原稿画像における特徴画像部分を判別し、この判別結果に基づき表示部の視野角を調節している。例えば、特徴画像部分が含まれている原稿画像については、その表示のときに表示部の視野角が変更される。
【図面の簡単な説明】
【００２３】
【図１】本発明の表示装置の一実施形態を適用した画像形成装置の外観を概略的に示す斜視図である。
【図２】画像形成装置を示す断面図である。
【図３】画像形成装置の制御系の構成を示すブロック図である。
【図４】画像形成装置における操作パネル示す平面図である。
【図５】画像形成装置における液晶表示ユニットを示す断面図である。
【図６】（ａ）、（ｂ）、（ｃ）は、液晶表示ユニットにおけるスイッチパネルの各配向膜間の印加電圧と画面の視野角との関係を示す図である。
【発明を実施するための形態】
【００２４】
以下、本発明の実施形態を添付図面を参照して詳細に説明する。
【００２５】
図１は、本発明の表示装置の一実施形態を適用した画像形成装置を示す斜視図である。この画像形成装置１は、複写機能、ファクシミリ機能、プリンタ機能、スキャナ機能等を有する複合機であり、原稿読取り装置（スキャナ）２、原稿読取り装置２の手前側壁に設けられた操作パネル４、及び印刷部（プリンタ）５、及び給紙部６等を備えている。
【００２６】
図２は、画像形成装置１を示す断面図である。この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部５においては、現像装置１２、感光体ドラム１３、ドラムクリーニング装置１４、及び帯電器１５は、各色に応じた４種類のトナー像を形成するためにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００２７】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２８】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００２９】
中間転写ベルト２１と２次転写装置２６の転写ローラ２６ａ間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３０】
一方、給紙部６においては、ピックアップローラ３３により給紙トレイ１８から記録用紙を１枚ずつ逐次引出して、記録用紙をＳ字状の用紙搬送経路Ｒ１へと送り出す。
【００３１】
この記録用紙は、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始する一組のレジストローラ３４、記録用紙の搬送を促す複数組の搬送ローラ３５、一組の排紙ローラ３６等が配置されている。
【００３２】
また、記録用紙の表面だけではなく、裏面の印字を行う場合は、記録用紙を各排紙ローラ３６から反転経路Ｒｒへと逆方向に搬送して、記録用紙の表裏を反転させ、記録用紙を各レジストローラ３４へと再度導き、記録用紙の表面と同様に、記録用紙の裏面に画像を印刷して定着し、記録用紙を排紙トレイ３９へと搬出する。
【００３３】
次に、画像形成装置１の本体上部に搭載された原稿読取り装置２を説明する。この原稿読取り装置２において、原稿搬送部（ＡＤＦ）４２は、その奥一辺をヒンジ（図示せず）により第１読取り部４１の奥一辺に枢支されており、その手前部分を上下させることにより原稿搬送部４２を開いて、第１読取り部４１のプラテンガラス４４上に原稿用紙を載置することができる。
【００３４】
第１読取り部４１において、第１走査ユニット４５は、副走査方向に移動しながら、プラテンガラス４４上の原稿用紙表面を光源５１によって照明し、その反射光を第１反射ミラー５２により反射して第２走査ユニット４６へと導く。第２走査ユニット４６は、第１走査ユニット４５に追従して移動しつつ、原稿用紙からの反射光を第２及び第３反射ミラー５３、５４により反射する。この反射光は、結像レンズ４７によりＣＣＤ４８（Charge Coupled Device）に集光されて、ＣＣＤ４８により原稿画像が読取られる。
【００３５】
また、原稿搬送部４２により搬送されている原稿用紙表面の画像を読取る場合は、図２に示すように第１走査ユニット４５を原稿読取りガラス５５下方の読取り位置に移動し、第１走査ユニット４５の位置に応じて第２走査ユニット４６を位置決めする。この状態で、ピックアップローラ５６により原稿トレイ５７上の原稿用紙を引出して、原稿用紙を原稿搬送経路５８を通じて搬送し、第１走査ユニット４５の光源５１により原稿用紙表面を原稿読取りガラス５５を介して照明し、原稿用紙からの反射光を第１及び第２走査ユニット４５、４６の各反射ミラーにより結像レンズ４７へと導き、ＣＣＤ４８により用紙表面の原稿画像を読取り、原稿用紙を原稿排紙ローラ６１から原稿排紙トレイ６２へと排出する。
【００３６】
また、原稿搬送部４２に内蔵の第２読取り部４３（密着印刷画像センサ（Contact Image Sensor（ＣＩＳ））は、第２読取り部（ＣＩＳ）４３の下を通過して原稿排紙トレイ６２へと排出される原稿用紙裏面を照明し、原稿用紙裏面からの反射光を受光して、用紙裏面の原稿画像を読取る。
【００３７】
このようにＣＣＤ４８及びＣＩＳ４３により読取られた原稿画像は、画像形成装置１の光走査装置１１に入力され、画像形成装置１において原稿画像が記録用紙に記録され、この記録用紙が複写原稿として出力される。
【００３８】
次に、画像形成装置１の制御系について説明する。図３は、画像形成装置１の制御系の構成を示すブロック図である。図３において、主制御部８１は、ＣＰＵ、ＲＡＭ、ＲＯＭ、各種のインターフェース等からなり、原稿読取り装置（スキャナ）２、操作パネル４、印刷部（プリンタ）５、給紙部６、ファクシミリ通信部８２、及び画像処理部８３等を統括して制御する。
【００３９】
ファクシミリ通信部８２は、ネットワークＮに接続され、ネットワークＮを通じて相手側端末との間でファクシミリ通信のプロトコルを実行し、原稿画像を示す画像データを送受する。
【００４０】
特徴画像記憶部８６は、予め設定された特徴画像部分を示す特徴画像データを記憶したメモリである。原稿読取り装置２のＣＣＤ４８、ＣＩＳ４３により記録用紙に記録された特徴画像部分が読取られて、特徴画像部分を示す特徴画像データが特徴画像記憶部８６に記憶されたり、特徴画像部分を示す特徴画像データが入出力部８４を通じて特徴画像記憶部８６に記憶されたりする。特徴画像部分は、例えば「重要」、「機密」、「マル秘」、「社外秘」、「ＦＡＸ」などの文字、印章、電子透かし等である。
【００４１】
入出力部８４は、各種のデータ、原稿画像、特徴画像部分等を外部装置に対して入出力する。メモリ８５は、ＲＡＭ、ＲＯＭ、ハードディスク装置（ＨＤＤ）等であり、種々のデータ、プログラム等を記憶する。また、メモリ８５は、原稿読取り装置２のＣＣＤ４８、ＣＩＳ４３により読取られたり、ファクシミリ通信部８２で受信されたり、外部から入出力部８４を通じて入力しされたりした原稿画像を示す画像データを記憶する。
【００４２】
画像処理部８３は、メモリ８５内の原稿画像を示す画像データに対して種々の画像処理を施す。また、画像処理部８３は、特徴画像記憶部８６内の特徴画像データに基づきメモリ８５内の画像データを解析し、原稿画像に合成されている特徴画像部分を認識することができる。特徴画像部分が「重要」、「機密」、「マル秘」、「社外秘」、「ＦＡＸ」等の文字であれば、文字認識を行い、また特徴画像部分が印章等であれば、パターン認識を行い、更に特徴画像部分が電子透かし等であれば、電子透かし等の解析を行って、特徴画像部分を認識する。
【００４３】
液晶表示ユニット７１は、バックライト７４、液晶表示パネル７３、スイッチパネル７５、及びタッチパネル７６を重ね合わせたものである。
【００４４】
表示制御部８７は、液晶表示パネル７３、バックライト７４、スイッチパネル７５を駆動制御したり、タッチパネル７６の検出出力を入力したりする。例えば、表示制御部８７は、バックライト７４を点灯させ、またメモリ８５内の画像データを主制御部８１を通じて入力し、画像データに基づき液晶表示パネル７３を駆動制御して、画像データによって示される原稿画像を液晶表示パネル７３の画面ＳＣ（図１に示す）に表示したり、あるいは表示ボタン等を画面ＳＣに表示したりする。また、表示制御部８７は、タッチパネル７６の検出出力を入力すると、画面ＳＣ上の指の接触位置を検出して、この接触位置に基づき指が接触した画面ＳＣ上の表示ボタンを識別し、この表示ボタンを主制御部８１に通知する。
【００４５】
このような構成において、主制御部８１は、操作パネル４のキーボード７２や画面ＳＣ上の表示ボタンの操作により原稿の複写処理が指示されると、この指示に応答して原稿読取り装置２、印刷部５、給紙部６、画像処理部８３等を制御し、原稿読取り装置２により原稿画像を読取らせ、原稿画像を示す画像データをメモリ８５に一旦記憶し、画像処理部８３により画像データの処理を行わせて、画像データを印刷部５に出力し、給紙部６から印刷部５へと記録用紙を給紙させ、印刷部５により原稿画像を記録用紙に記録させる。
【００４６】
また、主制御部８１は、キーボード７２や画面ＳＣ上の表示ボタンの操作により原稿のファクシミリ送信が指示されると、この指示に応答して原稿読取り装置２、ファクシミリ通信部８２、画像処理部８３等を制御し、原稿読取り装置２により原稿画像を読取らせ、原稿画像を示す画像データをメモリ８５に一旦記憶し、画像処理部８３により画像データの処理を行わせて、画像データをファクシミリ通信部８２に出力し、ファクシミリ通信部８２からネットワークＮを通じて相手側端末へと画像データを送信する。
【００４７】
更に、主制御部８１は、ファクシミリ通信部８２により相手側端末からの原稿画像を示す画像データが受信されると、印刷部５、給紙部６、画像処理部８３等を制御し、画像データをメモリ８５に一旦記憶し、画像処理部８３により画像データの処理を行わせて、画像データを印刷部５に出力し、給紙部６から印刷部５へと記録用紙を給紙させ、印刷部５により原稿画像を記録用紙に記録させる。
【００４８】
次に、操作パネル４について詳しく説明する。操作パネル４では、図４に示すようにその約左半分に液晶表示ユニット７１が配置され、その約右半分にキーボード７２が配置されている。
【００４９】
液晶表示ユニット７１は、左右に細長い長方形状の画面ＳＣを有している。この画面ＳＣには、画像形成装置１の操作を支援するためのイラスト、メッセージ、表示ボタン等が表示されたり、あるいは原稿読取り装置２により読取られた原稿画像やファクシミリ通信部８２で受信された原稿画像が表示されたりする。
【００５０】
図５は、液晶表示ユニット７１を示す断面図である。図５に示すように液晶表示ユニット７１では、液晶表示パネル（ＴＦＴ液晶表示パネル等）７３の裏面側にバックライト７４を配置し、液晶表示パネル７３の表面にスイッチパネル７５を重ねて配置し、更にスイッチパネル７５の表面に透明なタッチパネル７６を重ね合わせて配置している。
【００５１】
スイッチパネル７５は、２枚の配向膜７５ａの間に液晶層７５ｂを挟み込んで封止したものである。図６（ａ）に示すようにスイッチパネル７５の各配向膜７５ａの間に電圧を印加しない場合は、各配向膜７５ａにより液晶層７５ｂの液晶分子が特定方向に整列して、液晶表示ユニット７１の画面ＳＣの視野角が広くなり、画面ＳＣの正面方向及び斜め方向から該画面ＳＣの表示内容を視認することができる。
【００５２】
また、図６（ｂ）、（ｃ）に示すようにスイッチパネル７５の各配向膜７５ａの間に電圧を印加した場合は、液晶層７５ｂの液晶分子の配列状態が変化して、液晶表示ユニット７１の画面ＳＣの視野角が狭くなり、また各配向膜７５ａの間に印加される電圧のレベルを変更することにより液晶表示ユニット７１の画面ＳＣの視野角を調節することができる。そして、図６（ｃ）に示すように画面ＳＣの視野角が最も狭くなると、画面ＳＣの正面方向のみで該画面ＳＣの表示内容を視認することができ、斜め方向からの該画面ＳＣの表示内容の視認が困難もしくは不可能になる。
【００５３】
このため、各配向膜７５ａの間の印加電圧を制御することにより、液晶表示ユニット７１の画面ＳＣの表示内容を広い範囲の複数の利用者に見せたり、画面ＳＣの表示内容を見ることが可能な利用者の数を制限したり、画面ＳＣの表示内容を該画面ＳＣの正面の単一の利用者だけに見せたりすることが可能である。各配向膜７５ａの印加電圧の制御は、図３の表示制御部８７により行われる。
【００５４】
ここで、キーボード７２や画面ＳＣ上の表示ボタンの操作により印刷レイアウトの設定が指示されている場合は、原稿読取り装置２により読取られたり、ファクシミリ通信部８２で受信されたり、入出力部８４を通じて入力されたりした原稿画像をメモリ８５に一旦記憶した後、メモリ８５内の原稿画像を液晶表示ユニット７１の画面ＳＣにプレビュー表示する。
【００５５】
また、原稿画像のプレビュー表示のときに、図６（ａ）、（ｃ）に示すような画面ＳＣの視野角の制御を行って、原稿画像を視認することが可能な利用者の数を増やしたり減らしたりする。この状態で、画面ＳＣにプレビュー表示された原稿画像を見ながら、キーボード７２や画面ＳＣ上の表示ボタンの操作により原稿画像の印刷レイアウトを調節もしくは設定する。
【００５６】
この後、キーボード７２や画面ＳＣ上の表示ボタンの操作により原稿画像の複写や送信が指示されると、メモリ８５内の原稿画像を印刷部５で記録用紙に記録したりファクシミリ通信部８２から送信したりする。
【００５７】
次に、そのような液晶表示ユニット７１の画面ＳＣの視野角の制御手順について詳しく説明する。まず、本実施形態では、重要レベル又は機密レベルが高く、情報の漏洩を防止すべき原稿画像に対しては特徴画像記憶部８６に記憶されている特徴画像部分を予め合成しておく必要がある。例えば、「重要」という文字が特徴画像記憶部８６に記憶されているならば、「重要」という文字を原稿画像に合成しておく。同様に、他の文字、印章、電子透かし等が特徴画像記憶部８６に記憶されているならば、他の文字、印章、電子透かし等を原稿画像に合成しておく。
【００５８】
また、重要レベル又は機密レベルが低く、情報の漏洩を防止する必要がない原稿画像に対しては、特徴画像部分を合成しない。
【００５９】
さて、キーボード７２や画面ＳＣ上の表示ボタンの操作により印刷レイアウトの設定が指示されている場合は、原稿読取り装置２により読取られた原稿画像、ファクシミリ通信部８２で受信された原稿画像、入出力部８４を通じて入力した原稿画像がメモリ８５に記憶されると、表示制御部８７は、メモリ８５内の原稿画像を液晶表示ユニット７１の画面ＳＣにプレビュー表示する。
【００６０】
このとき、画像処理部８３は、特徴画像記憶部８６内の特徴画像部分を参照し、メモリ８５内の原稿画像を解析して、原稿画像に特徴画像部分が合成されているか否かを判定し、この判定結果を主制御部８１を通じて表示制御部８７に通知する。表示制御部８７は、特徴画像部分が合成されているという判定結果のときに、スイッチパネル７５の各配向膜７５ａの間の印加電圧を制御して、図６（ｃ）に示すように画面ＳＣの視野角を最も狭くする。この場合は、画面ＳＣ上の原稿画像を画面ＳＣの正面の単一の利用者だけが見ることが可能となり、斜め方向からの画面ＳＣ上の原稿画像の視認が困難もしくは不可能になり、情報の漏洩が防止される。
【００６１】
単一の利用者は、画面ＳＣ上の原稿画像を確認して、キーボード７２や画面ＳＣ上の表示ボタンの操作により原稿画像の印刷レイアウトを調節もしくは設定する。これに応答して画像処理部８３は、メモリ８５内の原稿画像の印刷レイアウトを変更したり設定したりする。この後、画像形成装置１では、キーボード７２や画面ＳＣ上の表示ボタンの操作により原稿画像の複写や送信が指示されると、メモリ８５内の原稿画像を印刷部５で記録用紙に記録したりファクシミリ通信部８２から送信したりする。
【００６２】
また、表示制御部８７は、特徴画像部分が合成されていないという判定結果のときに、スイッチパネル７５の各配向膜７５ａの間の印加電圧を制御して、図６（ａ）に示すように画面ＳＣの視野角を最も広くする。これにより、画面ＳＣ上の原稿画像を複数の利用者が同時に見ることが可能になる。
【００６３】
この場合も、キーボード７２や画面ＳＣ上の表示ボタンの操作により原稿画像の印刷レイアウトを調節もしくは設定して、メモリ８５内の原稿画像の印刷レイアウトを変更したり設定したりし、この後にキーボード７２や画面ＳＣ上の表示ボタンの操作により原稿画像の複写や送信が指示されると、メモリ８５内の原稿画像が印刷部５で記録用紙に記録されたりファクシミリ通信部８２から送信されたりする。
【００６４】
このように本実施形態では、原稿画像のプレビュー表示のときに、特徴画像部分が原稿画像に合成されているか否かを判定し、特徴画像部分が合成されていたならば、スイッチパネル７５の各配向膜７５ａの間の印加電圧を制御して、図６（ｃ）に示すように画面ＳＣの視野角を最も狭くしているので、情報の漏洩を防止することができる。また、特徴画像部分が合成されてなかったならば、スイッチパネル７５の各配向膜７５ａの間の印加電圧を制御して、図６（ａ）に示すように画面ＳＣの視野角を最も広くしているので、複数の利用者により原稿画像を同時に視認することができる。
【００６５】
尚、原稿画像のプレビュー表示に際しては、特徴画像部分が原稿画像に合成されているか否かの判定結果にかかわらず、キーボード７２や画面ＳＣ上の表示ボタンの操作により画面ＳＣの視野角の制御の無効を表示制御部８７に指示して、図６（ａ）に示すように画面ＳＣの視野角が最も広くなるようにしても構わない。
【００６６】
また、原稿画像のプレビュー表示に際しては、特徴画像部分が原稿画像に合成されているか否かの判定結果にかかわらず、キーボード７２や画面ＳＣ上の表示ボタンの操作により画面ＳＣの視野角を表示制御部８７に指示して、画面ＳＣの視野角を変更することができるようにしてもよい。
【００６７】
更に、上記実施形態においては、画面ＳＣの視野角を最も狭く又は最も広くという２段階で変更しているが、視野角を３段階以上で変更しても構わない。例えば、画面ＳＣの視野角を図６（ａ）、（ｂ）、（ｃ）に示すように３段階で変更してもよい。この場合は、例えば重要レベル又は機密レベルが最も高いことを示す「重要１」という文字、重要レベル又は機密レベルが中程度にあることを示す「重要２」という文字、重要レベル又は機密レベルが最も低いことを示す「重要３」という文字を特徴画像部分として特徴画像記憶部８６に予め記憶しておく。また、原稿画像に対しては、特徴画像部分を合成しないか、あるいは原稿画像の重要レベル又は機密レベルに応じて「重要１」、「重要２」、「重要３」のいずれかを合成しておく。そして、原稿読取り装置２により読取られたり、ファクシミリ通信部８２で受信されたり、入出力部８４を通じて入力されたりした原稿画像をメモリ８５に一旦記憶して、メモリ８５内の原稿画像を液晶表示ユニット７１の画面ＳＣにプレビュー表示するときに、画像処理部８３は、メモリ８５内の原稿画像に特徴画像部分が合成されているか否かを判定し、更に特徴画像部分が合成されているならば、特徴画像部分に基づき原稿画像の重要レベル又は機密レベルを判定し、これらの判定結果を主制御部８１に通知する。主制御部８１は、それらの判定結果に応じて画面ＳＣの視野角を３段階で制御する。
【００６８】
例えば、原稿画像から特徴画像部分を抽出することができなかったか、あるいは抽出した特徴画像部分の重要レベル又は機密レベルが最も低いことを示す「重要３」という文字であれば、主制御部８１は、スイッチパネル７５の各配向膜７５ａの間の印加電圧を制御して、図６（ａ）に示すように画面ＳＣの視野角を最も広くする。これにより、画面ＳＣ上の原稿画像を複数の利用者が同時に見ることが可能になる。
【００６９】
また、原稿画像から抽出した特徴画像部分の重要レベル又は機密レベルが中程度に有ることを示す「重要２」という文字であれば、主制御部８１は、スイッチパネル７５の各配向膜７５ａの間の印加電圧を制御して、図６（ｂ）に示すように画面ＳＣの視野角を中程度に調節設定する。これにより、図６（ａ）に示すような画面ＳＣの視野角を設定したときよりも画面ＳＣの視野角が狭くなり、画面ＳＣ上の原稿画像を同時に見ることが可能な利用者の数が制限される。
【００７０】
更に、原稿画像から抽出した特徴画像部分の重要レベル又は機密レベルが最も高いことを示す「重要１」という文字であれば、主制御部８１は、スイッチパネル７５の各配向膜７５ａの間の印加電圧を制御して、図６（ｃ）に示すように画面ＳＣの視野角を最も狭くする。これにより、画面ＳＣ上の原稿画像を画面ＳＣの正面の単一の利用者だけが見ることが可能となり、斜め方向からの画面ＳＣ上の原稿画像の視認が困難もしくは不可能になり、情報の漏洩が防止される。
【００７１】
尚、スイッチパネル７５の各配向膜７５ａの間の印加電圧レベルを調節することにより、画面ＳＣの視野角を多段階又は連続的に変更することができるので、特徴画像部分の重要レベル又は機密レベルを４段階以上に設定して、画面ＳＣの視野角をより細やかに変更することが可能である。
【００７２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００７３】
１  画像形成装置
２  原稿読取り装置（スキャナ）
４  操作パネル（操作部）
５  印刷部（プリンタ）
６  給紙部
１１  光走査装置
１２  現像装置
１３  感光体ドラム
１４  ドラムクリーニング装置
１５  帯電器
１７  定着装置
２１  中間転写ベルト
２６  ２次転写装置
７１  液晶表示ユニット
７３  液晶表示パネル
７４  バックライト
７５  スイッチパネル（視野角変更部）
８１  主制御部（制御部）
８２  ファクシミリ通信部
８３  画像処理部（判別部）
８４  入出力部
８５  メモリ
８６  特徴画像記憶部（記憶部）
８７  表示制御部
ＳＣ  画面（表示部）
【図１】
2013113912.tif 000003
【図２】
2013113912.tif 000004
【図３】
2013113912.tif 000005
【図４】
2013113912.tif 000006
【図５】
2013113912.tif 000007
【図６】
2013113912.tif 000008